(57)【特許請求の範囲】
【請求項１】
筐体を形成するパネルに開口を穿設するとともに、該開口の周縁に左右両側の垂直折曲部と下部水平折曲部を有する折曲部を形成してなる操作開口部に対し、該折曲部を嵌着する嵌着溝を形成して、該折曲部の後端から嵌着するとともに、前端面を前記パネルの裏面に当接させて取り付けられるとともに、前記両垂直折曲部の上端部に軸支した開閉蓋が開閉時に当接するストッパを形成した操作開口部の保護フレームであって、
保護フレーム本体に左右の側枠部及び下部水平枠部を一体成形し、
前記左右の側枠部及び下部水平枠部には、その前面に前記折曲部が嵌着する嵌着溝を形成するとともに、嵌着溝の内側に中枠部を形成し、
前記中枠部の左右の上端後部を斜めにカットして前記開閉蓋を開いたとき該開閉蓋の上端部が当接する前記ストッパを形成するとともに、該中枠部の前端面を前記開閉蓋を閉じたとき該開閉蓋の下端部が当接する前記ストッパとして形成したことを特徴とする操作開口部の保護フレーム。
【発明の詳細な説明】
【０００１】
【発明の属する技術分野】
本発明は、厨房機器等のフロントパネルに形成される操作開口部の保護フレームに関するものである。
【０００２】
【従来の技術】
厨房機器等のフロントパネルは、ステンレス鋼板等を板金加工して形成されている。そして、絞り加工により電源スイッチ等の操作開口部が形成されている。フロントパネルとスイッチボックスと間に隙間があると、操作開口部からこの隙間が見えてしまう。また、スイッチ操作時にステンレス鋼板等の端面に指等が触れてしまうことがある。このため、図７（ａ），（ｂ）に示すようにフロントパネルｆを合成樹脂製品としたり、操作開口部ｇの端面に合成樹脂製の枠部材ｈを嵌着したりして、操作開口部ｇとスイッチボックスｉとの隙間を隠したり、端面を覆ったりしている。
【０００３】
【発明が解決しようとする課題】
しかしながら、フロントパネルｆを合成樹脂製とした厨房機器等は、市場性に劣るばかりでなく、フロントパネル製作用の成形金型が高額となる。また、合成樹脂製の枠部材ｈを嵌着する場合は、フロントパネルの表面に現われる枠部材ｈの周りに付着した水滴やゴミ等の汚れｊが固化してサニタリ性に劣る。さらに、ステンレス仕様のフロントパネルと合成樹脂製の枠部材とは一体感が乏しく違和感がある等の問題点があった。本発明は、上記問題点を解決するためになされたもので、一体感があって見栄えが良く安価な操作開口部の保護フレームを提供することを目的とする。
【０００４】
【課題を解決するための手段】
上記目的を達成するために請求項１に記載された発明は、筐体を形成するパネルに開口を穿設するとともに、該開口の周縁に左右両側の垂直折曲部と下部水平折曲部を有する折曲部を形成してなる操作開口部に対し、該折曲部を嵌着する嵌着溝を形成して、該折曲部の後端から嵌着するとともに、前端面を前記パネルの裏面に当接させて取り付けられるとともに、前記両垂直折曲部の上端部に軸支した開閉蓋が開閉時に当接するストッパを形成した操作開口部の保護フレームであって、
保護フレーム本体に左右の側枠部及び下部水平枠部を一体成形し、
前記左右の側枠部及び下部水平枠部には、その前面に前記折曲部が嵌着する嵌着溝を形成するとともに、嵌着溝の内側に中枠部を形成し、
前記中枠部の左右の上端後部を斜めにカットして前記開閉蓋を開いたとき該開閉蓋の上端部が当接する前記ストッパを形成するとともに、該中枠部の前端面を前記開閉蓋を閉じたとき該開閉蓋の下端部が当接する前記ストッパとして形成したことを特徴とする。
【０００５】
【発明の作用及び効果】
本発明に係る操作開口部の保護フレームは、その嵌着溝に、操作開口部の開口周縁に形成された折曲部をその後端から嵌着するとともに、前端面をパネルの裏面に当接させて取付ける。折曲部が保護フレームの嵌着溝に嵌着されて露出しないから安全であるとともに、折曲部の後端面に対してバリ取り等の端面処理を行う必要がなくコスト低減に寄与できる。
【０００６】
また、保護フレームは、前端面をパネルの裏面に当接して取り付けられるため、操作開口部から見える隙間を塞ぐとともに、パネルの表面に現われることがなく汚れが付着したり、パネルとの材料違いで違和感を生じたりすることがない。
【０００７】
更にまた、本発明に係る操作開口部の保護フレームは、該操作開口部に設けた開閉蓋が開閉時に当接するストッパを形成したから、開閉蓋の開き過ぎを防止できるとともに、閉じた時常に閉じ位置に位置決めできる。
【０００８】
【発明の実施の形態】
本発明の実施形態について添付図面を参照して説明する。図１は、本発明が適用された冷却貯蔵庫１の斜視図、図２は冷却貯蔵庫１の筐体２を形成するフロントパネル３に形成された操作開口部４を裏面から見た斜視図、図３は保護フレーム１１の正面図、図４は同、裏面図、図５は保護フレーム１１の取り付け状態を示した断面図、図６は要部の断面図である。
【０００９】
図１及び図５に示すように、冷却貯蔵庫１の筐体２を形成するフロントパネル３は、ステンレス鋼板等を板金加工して形成される。フロントパネル３には、略長方形の操作開口部４が本体５の所定位置に配設した電源スイッチや各種操作スイッチ等のスイッチボックス６に対応させてバーリング加工により形成され、開口周縁に後向きの折曲部７が形成されている。
【００１０】
図２に示すように上記折曲部７は、上部水平折曲部７ａ、左右両側の垂直折曲部７ｂ，７ｂ及び下部水平折曲部７ｃからなり、連続して操作開口部４を取り巻いている。垂直折曲部７ｂ，７ｂの上端部には、軸支孔８，８が穿設されている。また、垂直折曲部７ｂ，７ｂ及び下部折曲部７ｃには、それぞれ係合孔９，９及び１０，１０が穿設されている。
【００１１】
保護フレーム１１は、図３及び図４に示すように合成樹脂製の一体成形品であり、略長方形枠本体１２の左右の側枠部１３，１３及び下部水平枠部１４の前面には、上記操作開口部４の垂直折曲部７ｂ，７ｂ及び下部折曲部７ｃをその後端から嵌着するＵ字形に連続する嵌着溝１５が形成されている。側枠部１３，１３は、上端部から左右両側に張り出し部１６，１６が形成され、該張り出し部１６，１６間に上部水平枠部１７が形成されている。また、張り出し部１６，１６には、軸挿通凹部１８，１８が形成されている。
【００１２】
上記側枠部１３，１３及び下部水平枠部１４には、嵌着溝１５の内側にＵ字形の中枠部１９が形成されている。中枠部１９には、後方に向かうに従い枠本体１２の中心方向に傾斜する傾斜面２０が形成されている。上部水平枠部１７にも、後方に向かうに従い枠本体１２の中心方向に傾斜する傾斜面２１が形成されている。また、中枠部１９には、左右の上端後部を斜め下方にカットしたストッパ面２２が形成されている。上記側枠部１３，１３及び下部水平枠部１４の裏面には、係合爪２３，２３及び２４，２４が形成されている。さらに、下部水平枠部１４及び上部水平枠部１７の前面と面一に弾接片２５が形成されている。
【００１３】
上記構成の保護フレーム１１は、嵌着溝１５に操作開口部４の垂直折曲部７ｂ，７ｂ及び下部折曲部７ｃをその後端から嵌着する。そして、弾接片２５をフロントパネル３の裏面に弾接させるとともに、係合爪２３，２３及び２４，２４を垂直折曲部７ｂ，７ｂ及び下部折曲部７ｃに穿設された係合孔９，９及び１０，１０にそれぞれ係合させて取り付ける（図５及び図６）。
【００１４】
このとき、上記垂直折曲部７ｂ，７ｂの上端部の軸支孔８，８を穿設した部分及び上部水平折曲部７ａが、張り出し部１６，１６及び上部水平枠部１７により取り囲まれる。そして、軸支孔８，８に差し渡したヒンジ軸２６に、開閉蓋２７を回動自在に取り付ける。開閉蓋２７を上方へ回動させたときには、上端部が中枠部１９のストッパ面２２に当接して開きすぎが規制され、閉じたときには開閉蓋２７の下端部が、中枠部１９の前端面に当接して位置決めされる。
【００１５】
上記実施形態で説明したように、バーリング加工で折曲したままの垂直折曲部７ｂ，７ｂ及び下部折曲部７ｃが、保護フレーム１１の嵌着溝１５に嵌着されて露出しないから安全であるとともに、折曲部７の後端面に対してバリ取り等の端面処理を行う必要がなくコスト低減に寄与できる。また、保護フレーム１１は、弾接片２５をフロントパネル３の裏面に弾接させて取り付けられて、中枠部１９により操作開口部４と本体５間の隙間を塞ぐことができる。そして、保護フレーム１１は、フロントパネル３の表面に現われることがなく汚れが付着したり、フロントパネル３との材料違いで違和感を生じたりすることがない。
【００１６】
また、中枠部１９に開閉蓋２７が当接するストッパ面２２を形成したから、開閉蓋２７の開き過ぎを防止できるとともに、閉じた時中枠部１９の前端面に当接して常に閉じ位置に位置決めできる。
【００１７】
その他、上記保護フレーム１１をフロントパネル３に水滴等が付着し易い食器洗浄機等に適用した場合には、操作開口部４の開口周縁の折曲部７ａ，７ｂ，７ｃ等に、他の部位から流れた水滴や汚れ等が付着して固化しても、開閉蓋２７を開いて拭き取ったり、掃除したりすることができる等の利点を有する。
【図面の簡単な説明】
【図１】本発明が適用された冷却貯蔵庫１の斜視図である。
【図２】フロントパネル３に形成された操作開口部４を裏面から見た斜視図である。
【図３】保護フレーム１１の正面図である。
【図４】同、裏面図である。
【図５】保護フレーム１１の取り付け状態を示した断面図である。
【図６】要部の断面図である。
【図７】従来例を示した断面図である。
【符号の説明】
３...フロントパネル
４...操作開口部
７...折曲部
７ａ...上部水平折曲部
７ｂ，７ｂ...垂直折曲部
７ｃ...下部水平折曲部
１１...保護フレーム
１２...略長方形枠本体
１３，１３...側枠部
１４...下部水平枠部
１５...嵌着溝
１７...上部水平枠部
１９...中枠部
２２...ストッパ面
２５...弾接片
２７...開閉蓋
【図１】
0004748752.tif 000002
【図２】
0004748752.tif 000003
【図３】
0004748752.tif 000004
【図４】
0004748752.tif 000005
【図５】
0004748752.tif 000006
【図６】
0004748752.tif 000007
【図７】
0004748752.tif 000008